【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
光記録媒体に記録されたホログラムに参照光を照射する光源と、
前記ホログラムで回折され形成されたホログラム像から情報を読み取る読取部と、
前記光源と前記読取部とを備えた筐体と、
前記筐体に設けられ、前記用紙を押接する押接部と、
前記押接部に形成され、前記光記録媒体を露出し、前記参照光が照射される開口部と、
前記筐体に設けられ、前記光記録媒体に記録された光記録媒体照準を目視できる窓部と、
を有することを特徴とする光学情報読取装置。
【請求項２】
前記開口部の周囲には、前記光記録媒体照準と合わせることでホログラム像再生条件とする照準が形成されていることを特徴とする請求項１に記載の光学情報読取装置。
【請求項３】
前記窓部に替えて、前記筐体を透明な部材で形成することを特徴とする請求項１又は請求項２に記載の光学情報読取装置。
【請求項４】
前記光記録媒体照準はホログラムとされており、前記窓部には、該ホログラムで回折されて形成された前記光記録媒体照準のホログラム像が表示されると共に、前記ホログラム像と位置を合わせる位置合わせ部が形成されたことを特徴とする請求項１に記載の光学情報読取装置。
【請求項５】
前記筐体は、前記押接部に対して上下にスライド可能とされ、前記押接部又は前記筐体には、前記筐体を前記押接部に対して下降させたときに前記光源をオン状態とするスイッチが設けられたことを特徴とする請求項１〜請求項４のいずれか１項に記載の光学情報読取装置。
【請求項６】
前記光源及び前記読取部は、前記押接部に設置されたことを特徴とする請求項５に記載の光学情報読取装置。
【請求項７】
前記開口部に対する参照光の入射方向が異なる光源を、２つ以上設置したことを特徴とする請求項１〜請求項６のいずれか１項に記載の光学情報読取装置。
【請求項８】
前記光源は、他の光源から照射された参照光が前記ホログラムで反射された反射光の進行方向とは異なる位置に配置されていることを特徴とする請求項７に記載の光学情報読取装置。
【手続補正２】
【補正対象書類名】明細書
【補正対象項目名】００１０
【補正方法】変更
【補正の内容】
【００１０】
請求項１に記載の発明は、光記録媒体に記録されたホログラムに参照光を照射する光源と、前記ホログラムで回折され形成されたホログラム像から情報を読み取る読取部と、前記光源と前記読取部とを備えた筐体と、前記筐体に設けられ、前記用紙を押接する押接部と、前記押接部に形成され、前記光記録媒体を露出し、前記参照光が照射される開口部と、前記筐体に設けられ、前記光記録媒体に記録された光記録媒体照準を目視できる窓部と、を有することを特徴としている。
【手続補正３】
【補正対象書類名】明細書
【補正対象項目名】００１１
【補正方法】変更
【補正の内容】
【００１１】
請求項１に記載の発明によれば、筐体に設けられた押接部で用紙を押接し、開口部から光記録媒体を露出させて、窓部から光記録媒体照準を目視することで、ホログラム再生条件の参照光が開口部に照射され、読取部によってホログラムで回折し形成されたホログラム像から情報が読み取られる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項２に記載の発明は、前記開口部の周囲には、前記光記録媒体照準と合わせることでホログラム像再生条件とする照準が形成されていることを特徴としている。
請求項２に記載の発明によれば、開口部の周囲に形成された照準を光記録媒体に記録された光記録媒体照準に合わせることで、参照光の入射方向がホログラム再生条件となる。従って、ホログラムが記録された光記録媒体が用紙のどの位置に設けられていても、照準と光記録媒体照準とで位置合わせをすればホログラムを簡単に再生することができる。
請求項３に記載の発明は、前記窓部に替えて、前記筐体を透明な部材で形成することを特徴としている。
【手続補正６】
【補正対象書類名】明細書
【補正対象項目名】００１６
【補正方法】変更
【補正の内容】
【００１６】
請求項３に記載の発明によれば、筐体を透明な部材で形成することで、筐体に窓部を設けなくても筐体内部が観察できる。これにより、筐体の外から目視で照準と光記録媒体照準とを合わせることができる。
【手続補正７】
【補正対象書類名】明細書
【補正対象項目名】００１７
【補正方法】変更
【補正の内容】
【００１７】
請求項４に記載の発明は、前記光記録媒体照準はホログラムとされており、前記窓部には、該ホログラムで回折されて形成された前記光記録媒体照準のホログラム像が表示されると共に、前記ホログラム像と位置を合わせる位置合わせ部が形成されたことを特徴としている。
【手続補正８】
【補正対象書類名】明細書
【補正対象項目名】００１８
【補正方法】変更
【補正の内容】
【００１８】
請求項４に記載の発明によれば、ホログラムの光記録媒体照準に参照光を照射して、ホログラムで回折したホログラム像を窓部に表示させ、窓部に形成された位置合わせ部と位置合わせをすることで、参照光の入射方向がホログラム再生条件となる。
【手続補正９】
【補正対象書類名】明細書
【補正対象項目名】００１９
【補正方法】変更
【補正の内容】
【００１９】
請求項５に記載の発明は、前記筐体は、前記押接部に対して上下にスライド可能とされ、前記押接部又は前記筐体には、前記筐体を前記押接部に対して下降させたときに前記光源をオン状態とするスイッチが設けられたことを特徴としている。
【手続補正１０】
【補正対象書類名】明細書
【補正対象項目名】００２０
【補正方法】変更
【補正の内容】
【００２０】
請求項５に記載の発明によれば、押接部に対して上下にスライド可能とされた筐体を用紙に近づけるようにスライドさせたとき、例えば筐体又は押接部に設けられたスイッチが筐体と押接部に挟まれて、光源がオン状態となる。これにより、スイッチのオン・オフを簡単に行うことができる。
【手続補正１１】
【補正対象書類名】明細書
【補正対象項目名】００２１
【補正方法】変更
【補正の内容】
【００２１】
請求項６に記載の発明は、前記光源及び前記読取部は、前記押接部に設置されたことを特徴としている。
【手続補正１２】
【補正対象書類名】明細書
【補正対象項目名】００２２
【補正方法】変更
【補正の内容】
【００２２】
請求項６に記載の発明によれば、光源及び読取部を押接部に設置することで、押接部に対して筐体をスライドさせても光源及び読取部の位置は開口部に対してずれない。このため、筐体のスライド量を考慮して光源、読取部を配置する必要がないため、光学情報読取装置の組み立てが容易になる。
【手続補正１３】
【補正対象書類名】明細書
【補正対象項目名】００２３
【補正方法】変更
【補正の内容】
【００２３】
請求項７に記載の発明は、前記開口部に対する参照光の入射方向が異なる光源を、２つ以上設置したことを特徴としている。
【手続補正１４】
【補正対象書類名】明細書
【補正対象項目名】００２４
【補正方法】変更
【補正の内容】
【００２４】
請求項７に記載の発明によれば、開口部に対する参照光の入射方向が異なる光源は２つ以上設置されており、それぞれの光源から参照光が開口部から露出された光記録媒体に照射される。これにより、開口部から光記録媒体を露出させるだけで、光記録媒体の回転方向の位置合わせをしなくても、複数の光源から照射されたいずれかの参照光が光記録媒体に記録されたホログラムの再生条件と一致して、ホログラムが再生される。
【手続補正１５】
【補正対象書類名】明細書
【補正対象項目名】００２５
【補正方法】変更
【補正の内容】
【００２５】
請求項８に記載の発明は、前記光源は、他の光源から照射された参照光が前記ホログラムで反射された反射光の進行方向とは異なる位置に配置されていることを特徴としている。
【手続補正１６】
【補正対象書類名】明細書
【補正対象項目名】００２６
【補正方法】変更
【補正の内容】
【００２６】
請求項８に記載の発明によれば、他の光源から照射された参照光が、ホログラムで反射された反射光と進行方向が異なるように、光源を配置する。これにより、反射型ホログラムを再生する参照光を照射する光源が存在しないので、ノイズ源である反射型ホログラムは再生されることがなく、ノイズが発生する恐れがない。